(57)【要約】【課題】遊技機の可変入賞装置において、羽根部に応力が加えられた場合に駆動装置に荷重がかからないようにする。【解決手段】プランジャ３６ａおよびソレノイド３６ｂからなり、羽根部３３を開閉駆動する駆動装置３６と、ソレノイド３６ｂに対して遊びを有してプランジャ３６ａに取り付けられ、プランジャ３６ａの出没運動で移動するリンク部材３８と、リンク部材３８が第１の位置にある場合には羽根部３３を閉鎖位置にし、第２の位置にある場合には羽根部３３を開放位置にするロッド３９ａ、３９ｂと、突出端がプランジャ３６ａによるリンク部材３８の移動軌跡よりも駆動装置３６側に位置するようにしてリンク部材３８に向けて形成された規制部４０とを有する。閉鎖位置にある羽根部３３に応力が加えられた場合には、リンク部材３８が規制部４０に当接して第２の位置への移動が規制される。【選択図】        図８
2005323757.tif 000002
【特許請求の範囲】
【請求項１】
入賞口が形成された本体部と、
前記本体部に開閉可能に設けられた羽根部と、
プランジャおよびこれを出没させるソレノイドからなり、前記羽根部を開閉駆動する駆動装置と、
前記ソレノイドに対して遊びを有して前記プランジャに取り付けられ、当該プランジャの出没運動により第１の位置と第２の位置との間を移動するリンク部材と、
前記リンク部材および前記羽根部に係合して配置されて前記リンク部材の移動により移動され、前記リンク部材が前記第１の位置にある場合には前記羽根部を閉鎖位置にし、前記リンク部材が前記第２の位置にある場合には前記羽根部を開放位置にするロッドと、
突出端が前記プランジャによる前記リンク部材の移動軌跡よりも前記駆動装置側に位置するようにして前記リンク部材に向けて突出形成された規制部とを有し、
閉鎖位置にある前記羽根部に応力が加えられた場合には、前記第１の位置にある前記リンク部材が前記規制部に当接して前記第２の位置への移動が規制されることを特徴とする可変入賞装置。
【請求項２】
前記リンク部材は、略Ｌ字状に形成されていることを特徴とする請求項１記載の可変入賞装置。
【請求項３】
請求項１または２記載の可変入賞装置が遊技盤に取り付けられていることを特徴とする遊技機。
【発明の詳細な説明】
【技術分野】
【０００１】
本発明は、パチンコ機等の遊技機に設けられた可変入賞装置に関するものである。
【背景技術】
【０００２】
遊技機の一種であるパチンコ機は、遊技球が流下する遊技領域を有する遊技盤を備えている。遊技盤には、始動入賞装置や大入賞口装置などの可変入賞装置、始動ゲート、普通図柄表示装置や特別図柄表示装置などが配設されている。
【０００３】
このようなパチンコ機において、始動入賞装置に遊技球が入賞すると特別図柄表示装置の複数の図柄が変動して停止する。そして、停止時の図柄の組み合わせが予め設定された特定の図柄の組み合わせとなった場合に遊技者に有利な特別遊技状態に移行し、大入賞口装置が所定の開放状態となって大入賞口に遊技球が入賞しやすくなる。したがって、特別遊技状態では、大入賞口に遊技球が入賞することにより、遊技者に多数の景品球が払い出される。
【０００４】
ここで、従来のパチンコ機における始動入賞装置や大入賞口装置などの可変入賞装置は、ソレノイドの前後動によって羽根部が開閉するものがある。そして、例えば特許文献１に記載のように、可変入賞装置には、針金等により強制的に羽根部をこじ開けて不正に遊技球の入賞を容易とする行為を防ぐために、羽根部の閉じ位置では、羽根部に操作が加えられても容易に開き位置に変位しないような構造とされたものがある。
【特許文献１】特開２００３−３４００２０号公報
【発明の開示】
【発明が解決しようとする課題】
【０００５】
しかしながら、前述した従来の技術では、ソレノイドの前後動の動力を羽根部に伝える回転部材（特許文献１におけるソレノイドアーム４５）の回転軌道に駆動装置であるソレノイドのプランジャ先端が挿入されて回転部材の回転を妨げるように構成されているため、強制的に羽根部をこじ開けた場合、ソレノイドに荷重がかかり、破損など故障発生の原因になるおそれがある。
【０００６】
また、プランジャの出没動作が入賞装置に対して奥行き方向であるため、駆動装置が遊技盤の裏面側に突出して、裏面機構の設置スペースを狭めてしまう。
【０００７】
そこで、本発明は、羽根部に応力を加えて強制的に開こうとした場合でも駆動装置に荷重がかかることのない可変入賞装置およびそれが取り付けられた遊技機を提供することを目的とする。
【０００８】
また、本発明は、ソレノイドによるプランジャの出没動作に伴う裏面機構の設置スペースの減少を緩和することのできる可変入賞装置およびそれが取り付けられた遊技機を提供することを目的とする。
【課題を解決するための手段】
【０００９】
上記課題を解決するため、本発明に係る可変入賞装置は、入賞口が形成された本体部と、本体部に開閉可能に設けられた羽根部と、プランジャおよびこれを出没させるソレノイドからなり、羽根部を開閉駆動する駆動装置と、ソレノイドに対して遊びを有してプランジャに取り付けられ、当該プランジャの出没運動により第１の位置と第２の位置との間を移動するリンク部材と、リンク部材および羽根部に係合して配置されてリンク部材の移動により移動され、リンク部材が第１の位置にある場合には羽根部を閉鎖位置にし、リンク部材が第２の位置にある場合には羽根部を開放位置にするロッドと、突出端がプランジャによるリンク部材の移動軌跡よりも駆動装置側に位置するようにしてリンク部材に向けて突出形成された規制部とを有し、閉鎖位置にある羽根部に応力が加えられた場合には、第１の位置にあるリンク部材が規制部に当接して第２の位置への移動が規制されることを特徴とする。
【００１０】
これにより、羽根部に応力を加えて強制的に開こうとした場合でも駆動装置に荷重がかからないので、安定した開閉駆動を行うことができる。
【００１１】
また、プランジャによるリンク部材の直進運動をロッドによる羽根部の開閉運動に変換しているので、プランジャの出没動作を奥行き方向に設定しなくてもよくなることから、ソレノイドによるプランジャの出没動作に伴う裏面機構の設置スペースの減少を緩和することが可能になる。
【００１２】
本発明の好ましい形態において、リンク部材は、略Ｌ字状に形成されていることを特徴とする。
【００１３】
これにより、さらに省スペース化を実現することがことが可能になる。
【００１４】
また、上記課題を解決するため、本発明に係る遊技機は、前述した可変入賞装置が遊技盤に取り付けられていることを特徴とする。
【００１５】
これにより、羽根部に応力を加えて強制的に開こうとした場合でも駆動装置に荷重がかからないので、安定した開閉駆動を行うことができ、また、ソレノイドによるプランジャの出没動作に伴う裏面機構の設置スペースの減少を緩和することが可能になる。
【発明の効果】
【００１６】
本発明によれば以下の効果を奏することができる。
【００１７】
すなわち、本発明によれば、リンク部材が規制部に当接して羽根部が開くのが阻止されるので、駆動装置には荷重がかかることがなくなる。
【００１８】
これにより、羽根部の安定した開閉駆動を行うことができる。
【００１９】
また、プランジャによるリンク部材の直進運動をロッドによる羽根部の開閉運動に変換しているので、プランジャの出没動作を奥行き方向に設定しなくてもよくなることから、ソレノイドによるプランジャの出没動作に伴う裏面機構の設置スペースの減少を緩和することが可能になる。
【発明を実施するための最良の形態】
【００２０】
以下、本発明を実施するための最良の形態を、図面を参照しつつさらに具体的に説明する。ここで、添付図面において同一の部材には同一の符号を付しており、また、重複した説明は省略されている。なお、ここでの説明は本発明が実施される最良の形態であることから、本発明は当該形態に限定されるものではない。
【００２１】
図１は本発明の一実施の形態であるパチンコ遊技機を示す斜視図、図２は図１のパチンコ遊技機に取り付けられた可変入賞装置である始動入賞装置を示す斜視図、図３は図２の分解斜視図、図４は図２の始動入賞装置を前面板、台座および第１のホルダを除去して示す分解斜視図、図５は図２の始動入賞装置を前面板および台座を除去して示す正面図、図６は図５の始動入賞装置から羽根部を除去して示す正面図、図７は羽根部が閉じた状態における羽根部の開閉規制機構を示す正面図、図８は図７を平面から見た場合の要部を示す概略図、図９は羽根部が開いた状態における羽根部の開閉規制機構を示す正面図、図１０は図９を平面から見た場合の要部を示す概略図、図１１は羽根部に応力を加えた場合における羽根部の開閉規制機構を平面から見た場合の要部を示す概略図、図１２は図１のパチンコ遊技機に取り付けられた可変入賞装置である大入賞口装置を示す斜視図、図１３は図１２の分解斜視図、図１４は図１２の大入賞口装置を取付基板を除去して示す正面図、図１５は大入賞口装置を構成する駆動装置とリンク部材とを示す斜視図、図１６は羽根部が閉じている状態における羽根部の開閉規制機構を示す図、図１７は図１６の側面図、図１８は羽根部が開いている状態における羽根部の開閉規制機構を示す図、図１９は図１８の側面図、図２０は羽根部に応力を加えた場合における羽根部の開閉規制機構を示す図である。
【００２２】
図１に示すように、パチンコ遊技機（遊技機）１は、遊技盤２が装着された本体枠３ａがヒンジを介してベース枠３ｂに回動可能に取り付けられ、これら本体枠３ａおよびベース枠３ｂで遊技機本体３が構成されている。そして、このような遊技機本体３に対して、遊技盤２を視認可能に被うガラス扉４、およびガラス扉４の下側に位置する皿ユニット５が取り付けられている。これらガラス扉４および皿ユニット５は、その一端が遊技機本体３に回動可能に軸支されており、他端が遊技機本体３に係合するようになっている。
【００２３】
遊技盤２は、遊技盤ベース２ａと、遊技盤ベース２ａ上のガラス扉４に包囲された領域に配置された多数の遊技くぎや風車などの障害物や可変入賞装置、始動ゲート、普通図柄表示装置や特別図柄表示装置などの可変表示装置等からなる遊技部材２ｂで構成されており、発射された遊技球が打ち込まれて流下する遊技領域がある。
【００２４】
ここで、可変入賞装置は、遊技球が入賞すると特別図柄表示装置の複数の図柄を変動・停止させる始動入賞装置、および特別図柄表示装置の停止時における図柄の組み合わせが予め設定された特定の図柄の組み合わせとなって特別遊技状態に移行した場合に大入賞口が所定の開放状態となる大入賞口装置である。
【００２５】
なお、遊技盤２の背後には、例えば液晶ディスプレイ、ＣＲＴ（陰極線管）あるいはプラズマディスプレイ等からなり、画像信号入力に基づいて任意の画像を表示する図柄表示部（図示せず）が、遊技盤ベース２ａに開口された孔などの透過領域等を介して視認可能に配置されている。
【００２６】
遊技盤２の下方には、前述のように皿ユニット５が配置されている。皿ユニット５には、払い出された遊技球および遊技領域に打ち込まれる遊技球が貯留される上皿５ａが上部に配置され、払い出しにより上皿５ａからオーバーフローした遊技球が貯留される下皿５ｂが下部に配置されている。また、皿ユニット５の右側には、レール６を介して遊技盤２の遊技領域へ遊技球を打ち込む際に回動操作されるハンドル７が設けられている。さらに、遊技終了時などにおいて上皿５ａに貯留された遊技球を下皿５ｂに移動させて取り出す場合に操作されるシャッタレバー１０が設けられている。
【００２７】
なお、ガラス扉４の上部の左右には、スピーカ８ａ，８ｂがそれぞれ配置されている。
【００２８】
図２〜図６に示すように、このようなパチンコ遊技機１に取り付けられた一方の可変入賞装置である始動入賞装置３１は、遊技球が通過するゲート３２ａおよび始動口（入賞口）３２ｂが形成された台座３２と、台座３２の前面に取り付けられて入賞球を台座３２の始動口３２ｂへ案内するガイド部３４ａが形成された前面板３４と、前面板３４に回動可能に軸支されて前面板３４と台座３２との間に配置され、開放状態で始動口３２ｂへの遊技球の入賞を容易にする羽根部３３と、台座３２の背面に取り付けられた第１のホルダ３５と、第１のホルダ３５の背面に取り付けられた第２のホルダ３７などからなる。そして、第１のホルダ３５は、始動口３２ｂに対応した切り欠き３５ｂが形成されて始動口３２ｂに入賞した遊技球の通過を検出する遊技球検知センサ（中央に遊技球の通過孔を有し遊技球の通過を検知する非接触スイッチ）Ｓを保持しており、第２のホルダ３７は、羽根部３３を開閉駆動する駆動装置３６が取り付けられている。台座３２、第１のホルダ３５および第２のホルダ３７で始動入賞装置３１の本体部が構成されている。そして、第１のホルダ３５と第２のホルダ３７との間には、後述するリンク部材３８およびロッド３９ａ、３９ｂが配置されている。
【００２９】
羽根部３３は、正面から向かって右側に位置する右傾動羽根３３ａと、左側に位置する左傾動羽根３３ｂとからなり、右傾動羽根３３ａは右側方に向けて傾動可能に、左傾動羽根３３ｂは左側方に向けて傾動可能に、それそれ前面板３４に軸支されている。そして、右傾動羽根３３ａと左傾動羽根３３ｂとが立った状態が羽根部３３の閉鎖位置となり、右側方および左側方に傾動した状態が羽根部３３の開放位置となる。
【００３０】
右傾動羽根３３ａおよび左傾動羽根３３ｂには、後方に突出した伝達ピン３３ａ−１、３３ｂ−１が形成されている。この伝達ピン３３ａ−１、３３ｂ−１は右傾動羽根３３ａおよび左傾動羽根３３ｂの回動始点とは異なる位置に形成され、台座３２に右傾動羽根３３ａおよび左傾動羽根３３ｂの回動軌跡に沿ってそれぞれ形成された一対の円弧状孔３２ｃ（向かって右側は図示せず）を貫通して背面側に突出して設けられている。
【００３１】
第２のホルダ３７に取り付けられた駆動装置３６は、プランジャ３６ａおよびこれを横方向に出没させるソレノイド３６ｂから構成されるプランジャ式ソレノイドである。そして、プランジャ３６ａの先端にはフランジ３６ａ−１が形成されており、フランジ３６ａ−１およびソレノイド３６ｂに圧接するようにして、プランジャ３６ａを突出した状態に保持する圧縮コイルばね（図示せず）がプランジャ３６ａにはめ込まれている。
【００３２】
ここで、駆動装置３６と羽根部３３との間には、駆動装置３６による羽根部３３の開閉動作を許容する一方で、羽根部３３に直接に応力が加えられた場合には羽根部３３が開くのを阻止する機構が設けられている。
【００３３】
より具体的に説明すると、この機構は、プランジャ３６ａに取り付けられてプランジャ３６ａの出没運動により第１の位置（プランジャ３６ａが突出した位置）と第２の位置（プランジャ３６ａが没入した位置）との間をほぼ直線軌跡で移動する略Ｌ字状のリンク部材３８と、リンク部材３８および羽根部３３に係合して配置されてリンク部材３８の移動により回動（移動）する第１のロッド３９ａおよび第２のロッド３９ｂと、突出端がプランジャ３６ａによるリンク部材３８の移動軌跡よりも駆動装置３６側に位置するようにしてリンク部材３８に向けて突出形成された規制部４０とで構成されている。
【００３４】
なお、図示するように、Ｌ字状のリンク部材３８のプランジャ３６ａとの取り付け部と反対側は駆動装置３６とで第２のホルダ３７を挟む位置に延びて第２のホルダ３７に沿って移動するようになっており、規制部４０はこのような第２のホルダ３７に突出して形成されている。
【００３５】
リンク部材３８には溝３８ｃが形成され、この溝３８ｃがプランジャ３６ａのフランジ３６ａ−１に緩やかに差し込まれており、このような構造により、リンク部材３８はソレノイド３６ｂに対して遊びを有している。但し、プランジャ３６ａをソレノイド３６ｂに対してガタを持たせ、このようなプランジャ３６ａにリンク部材３８を取り付けることにより、リンク部材３８をソレノイド３６ｂに対して遊びを持たせてもよい。
【００３６】
第１および第２のロッド３９ａ、３９ｂは略Ｌ字の形状を有しており、その屈曲位置を支点にして回動可能に第１のホルダ３５に軸支されている。そして、第１のロッド３９ａでは、リンク部材３８の第１の嵌合孔３８ａに遊びを持って嵌合する第１の嵌合突起３９ａ−１が回動支点から下側に延びた略Ｌ字の一方の部分に形成され、他方の部分である第１のアーム部３９ａ−２は斜め右上方に傾斜している。また、第２のロッド３９ｂでは、リンク部材３８の第２の嵌合孔３８ｂに遊びを持って嵌合する第２の嵌合突起３９ｂ−１が回動支点から上側に延びた略Ｌ字の一方の部分に形成され、他方の部分である第２のアーム部３９ｂ−２は斜め左上方に傾斜している。したがって、プランジャ３６ａの突出状態から没入状態に移動することによってリンク部材３８が第１の位置から第２の位置へと移動すると、第１のロッド３９ａでは第１のアーム部３９ａ−２が正面から見て時計回りに回動し、一方、第２のロッド３９ｂでは第２のアーム部３９ｂ−２が反時計回りに回動する。
【００３７】
このような第１のアーム部３９ａ−２の先端には前述した右傾動羽根３３ａの伝達ピン３３ａ−１が、第２のアーム部３９ｂ−２の先端には左傾動羽根３３ｂの伝達ピン３３ｂ−１が、それぞれ回動可能に挿入されている。したがって、第１のアーム部３９ａ−２が時計回りに回動すると右傾動羽根３３ａが右側方に向けて傾動し、第２のアーム部３９ｂ−２が反時計回りに回動すると左傾動羽根３３ｂが左側方に向けて傾動するので、これによって右傾動羽根３３ａと左傾動羽根３３ｂとで構成される羽根部３３が開放位置となる。
【００３８】
また、第１のアーム部３９ａ−２と第２のアーム部３９ｂ−２とがこのように回動する前の状態、つまりプランジャ３６ａが突出してリンク部材３８が第１の位置にある状態が、右傾動羽根３３ａと左傾動羽根３３ｂとが立った状態が羽根部３３の閉鎖位置となる。
【００３９】
このような機構において、駆動装置３６のプランジャ３６ａは、ソレノイド３６ｂが励磁されない場合は圧縮コイルばねの力で突出され、前述のようにプランジャ３６ａに取り付けられたリンク部材３８は第１の位置となるので、このリンク部材３８と係合する第１および第２のロッド３９ａ、３９ｂは羽根部３３を閉じた状態に維持する（図７、図８）。
【００４０】
ソレノイド３６ｂが励磁されると、プランジャ３６ａは、圧縮コイルばねの力に抗してソレノイド３６ｂの磁着部（図示せず）に吸着されるので、これによりリンク部材３８が第２の位置に移動して第１および第２のロッド３９ａ、３９ｂを前述のように回動させて第１のアーム部３９ａ−２が時計回りに回動し、第２のアーム部３９ｂ−２が反時計回りに回動する。これにより、右傾動羽根３３ａが右側方に向けて傾動し、左傾動羽根３３ｂが左側方に向けて傾動して、右傾動羽根３３ａと左傾動羽根３３ｂとで構成される羽根部３３が開放される（図９、図１０）。
【００４１】
このとき、リンク部材３８はソレノイド３６ｂが励磁されたときにおけるプランジャ３６ａの没入により移動するので、第１の位置にあるリンク部材３８には、図１０に示すように、プランジャ３６ａとの取付部にプランジャ３６ａの没入方向（つまり、第２の位置に向かう方向）への力が働くとともに第１および第２のロッド３９ａ、３９ｂの第１および第２の嵌合突起３９ａ−１、３９ｂ−１が嵌合している第１および第２の嵌合孔３８ａ、３８ｂの部分ではそのままの位置にとどまる力が働く。これにより、リンク部材３８は、それが有する遊びのために規制部４０とは反対方向に倒れる力が加わった状態で第１の位置から移動を開始し、規制部４０には当接することなく第２の位置へと移動するものである。
【００４２】
そして、羽根部３３に応力を加えてこれを強制的に開放しようとした場合には、図１１に示すように、第１の位置にあるリンク部材３８に対して、羽根部３３の第１および第２の嵌合孔３８ａ、３８ｂとそれぞれ嵌合した第１および第２のロッド３９ａ、３９ｂの第１および第２の嵌合突起３９ａ−１、３９ｂ−１により第２の位置に向かう方向への力が働くとともにプランジャ３６ａとの取付部にはそのままの位置にとどまる力が働く。これにより、リンク部材３８は、それが有する遊びのために規制部４０側に倒れた状態で第１の位置から移動を開始する。すると、リンク部材３８は、プランジャ３６ａによる移動軌跡とは異なり、規制部４０へ傾斜した状態での移動軌跡となって先端が規制部４０に当接してその変位が規制され、第２の位置へ到達することができなくなる。すなわち、羽根部３３が開放状態になることが阻止される。
【００４３】
これにより、本実施の形態の始動入賞装置３１では、針金等を用いて羽根部３３に応力を加え、強制的にこれを開放する不正行為を防止することが可能になる。
【００４４】
また、羽根部３３に応力を加えて強制的に開こうとした場合でも駆動装置３６に荷重がかからないので、安定した開閉駆動を行うことができる。
【００４５】
さらに、プランジャ３６ａによるリンク部材３８の直進運動をロッド３９ａ、３９ｂによる羽根部３３の開閉運動に変換しているので、プランジャ３６ａの出没動作を本体部に対して奥行き方向に設定しなくてもよくなることから、始動入賞装置３１が遊技盤の裏面側に突出してそこに配置される機構の設置スペースを狭めることがなく、ソレノイド３６ｂによるプランジャ３６ａの出没動作に伴う裏面機構の設置スペースの減少を緩和することが可能になる。
【００４６】
そして、リンク部材３８を略Ｌ字状に形成することにより、さらに省スペース化を実現することができる。
【００４７】
なお、ここでは第１および第２のロッド３９ａ、３９ｂと２つのロッドで羽根部３３を開閉するようにしているが、ロッドを１つにして何れかの傾動羽根（右傾動羽根３３ａまたは左傾動羽根３３ｂ）を傾動させるようにするとともに、この傾動羽根と他方の傾動羽根との間にリンク機構を設けてロッドに傾動される傾動羽根により他方の傾動羽根が傾動されるようにし、これにより羽根部３３を開閉するようにしてもよい。
【００４８】
さて、図１２、図１３および図１４に示すように、パチンコ遊技機１に取り付けられた他方の可変入賞装置である大入賞口装置１１は、両翼がやや上方に傾斜して延びた弧状の取付基板１２と、取付基板１２の中央に形成された大入賞口（入賞口）１３を開閉する羽根部１４と、取付基板１２の中央背面に取り付けられ、入賞球排出口が形成された前部筐体１５と、前部筐体１５に取り付けられた後部筐体１６などからなる。後部筐体１６には、羽根部１４を開閉駆動する駆動装置１７および伝達リンク２２を介して振り分け部材１８を傾動させる傾動手段１９が取り付けられている。そして、取付基板１２、前部筐体１５および後部筐体１６で大入賞口装置１１の本体部が構成されている。
【００４９】
羽根部１４は、正面に位置する前面板１４ａと、前面板１４ａの両側から後方に折れ曲がるようにして連なる略直角三角形状の側壁１４ｂ、１４ｂとからなる。また、下端部両側から内側に突き出て、回動軸１４ｃ、１４ｃが形成されている。この回動軸１４ｃ、１４ｃは、取付基板１２に形成された軸受け１２ａ、１２ａにはめ込まれており、これにより羽根部１４が取付基板１２に回動自在に保持されて、大入賞口１３を閉鎖する位置と、前面に倒れてこれを開放する位置とに回動する。また、一方の側壁１４ｂにおける回動軸１４ｃの回動中心とは異なる位置には、伝達突起１４ｄが設けられている。
【００５０】
前部筐体１５は、取付基板１２と組み合わさって入賞球排出口２０（大入賞口１３に入賞した遊技球の通路空間をいう）を形成するものである。すなわち、前部筐体１５の前面には、２つの入賞球排出口２０ａ、２０ｂと、底壁面を構成する扁平方形の遊技球検知センサ（中央に遊技球の通過孔を有し遊技球の通過を検知する非接触スイッチ）Ｓ１、Ｓ２が収容されるセンサ取付部２１ａ、２１ｂが形成されている。
【００５１】
また、後部筐体１６には、羽根部１４を開閉する駆動装置１７を裏面側に取り付けるブラケット部１６ａ、振り分け部材１８を傾動させる傾動手段１９を前面側に取り付けるブラケット部１６ｂが一体的に形成されている。
【００５２】
駆動装置１７および傾動手段１９は、プランジャ１７ａ、１９ａおよびこれを上下方向に出没させるソレノイド１７ｂ、１９ｂから構成されるプランジャ式ソレノイドである。そして、プランジャ１７ａ、１９ａの先端にはフランジ１７ａ−１、１９ａ−１が形成されており、フランジ１７ａ−１、１９ａ−１およびソレノイド１７ｂ、１９ｂに圧接するようにして、プランジャ１７ａ、１９ａを突出した状態に保持する圧縮コイルばね（図示せず）がプランジャ１７ａ、１９ａにはめ込まれている。
【００５３】
ここで、駆動装置１７と羽根部１４との間には、駆動装置１７による羽根部１４の開閉動作を許容する一方で、羽根部１４に直接に応力が加えられた場合には羽根部１４が開くのを阻止する機構が設けられている。
【００５４】
より具体的に説明すると、この機構は、プランジャ１７ａに取り付けられてプランジャ１７ａの出没運動により第１の位置（プランジャ１７ａが突出した位置）と第２の位置（プランジャ１７ａが没入した位置）との間をほぼ直線軌跡で移動する略Ｌ字状のリンク部材２３と（図１５参照）、リンク部材２３および羽根部１４に係合して配置されてリンク部材２３の移動により移動するロッド２４と、突出端がプランジャ１７ａによるリンク部材２３の移動軌跡よりも駆動装置１７側に位置するようにしてリンク部材２３に向けて突出形成された規制部２５と（図１６〜図２０）で構成されている。
【００５５】
リンク部材２３には溝２３ａが形成され、この溝２３ａがプランジャ１７ａのフランジ１７ａ−１に緩やかに差し込まれており、このような構造により、リンク部材２３はソレノイド１７ｂに対して遊びを有している。但し、プランジャ１７ａをソレノイド１７ｂに対してガタを持たせ、このようなプランジャ１７ａにリンク部材２３を取り付けることにより、リンク部材２３をソレノイド１７ｂに対して遊びを持たせてもよい。
【００５６】
ロッド２４は、前部筐体１５に突出されたピン１５ａに回動可能にはめ込まれるとともに長孔２４ａにはリンク部材２３に設けられた係合ピン２３ｂが係合している。また、ロッド２４の先端は二股状になって前述した羽根部１４の伝達突起１４ｄを上下から遊びを持って挟むように係合している。これにより、リンク部材２３の移動によりロッド２４がピン１５ａを支点に揺動されることでリンク部材２３の直線運動が揺動運動に変換されて羽根部１４に伝達される。そして、ロッド２４は、リンク部材２３が第１の位置にある場合には伝達突起１４ｄを回動軸１４ｃよりも下に押し下げて羽根部１４を閉鎖位置にし、リンク部材２３が第２の位置にある場合には伝達突起１４ｄを回動軸１４ｃよりも上に押し上げて羽根部１４を開放位置にする。
【００５７】
このような機構において、駆動装置１７のプランジャ１７ａは、ソレノイド１７ｂが励磁されない場合は圧縮コイルばねの力で突出され、前述のようにプランジャ１７ａに取り付けられたリンク部材２３は第１の位置となるので、このリンク部材２３と係合するロッド２４は羽根部１４を閉じた状態に維持する（図１６、図１７）。なお、この際、羽根部１４の前面板１４ａの上辺内面が取付基板１２に当接して閉鎖位置に保持される。
【００５８】
ソレノイド１７ｂが励磁されると、プランジャ１７ａは、圧縮コイルばねの力に抗してソレノイド１７ｂの磁着部（図示せず）に吸着されるので、これによりリンク部材２３が第２の位置に移動してロッド２４を揺動させる。これにより伝達突起１４ｄが押し上げられて羽根部１４が前方に傾倒し、大入賞口１３が開放される（図１８、図１９）。
【００５９】
このとき、リンク部材２３はソレノイド１７ｂが励磁されたときにおけるプランジャ１７ａの没入により移動するので、第１の位置にあるリンク部材２３には、図１９に示すように、プランジャ１７ａとの取付部にプランジャ１７ａの没入方向（つまり、第２の位置に向かう方向）への力が働くとともにロッド２４に係合している係合ピン２３ｂにはそのままの位置にとどまる力が働く。これにより、リンク部材２３は、それが有する遊びのために規制部２５とは反対方向に倒れる力が加わった状態で第１の位置から移動を開始し、規制部２５には当接することなく第２の位置へと移動するものである。
【００６０】
そして、羽根部１４に応力を加えてこれを強制的に開放しようとした場合には、図２０に示すように、第１の位置にあるリンク部材２３には、羽根部１４と係合したロッド２４を介してリンク部材２３の係合ピン２３ｂに第２の位置に向かう方向への力が働くとともにプランジャ１７ａとの取付部にはそのままの位置にとどまる力が働く。これにより、リンク部材２３は、それが有する遊びのために規制部２５側に倒れた状態で第１の位置から移動を開始する。すると、リンク部材２３は、プランジャ１７ａによる移動軌跡とは異なり、規制部２５へ傾斜した状態での移動軌跡となって先端が規制部２５に当接してその変位が規制され、第２の位置へ到達することができなくなる。すなわち、羽根部１４が開放状態になることが阻止される。
【００６１】
これにより、本実施の形態の大入賞口装置１１では、針金等を用いて羽根部１４に応力を加え、強制的にこれを開放する不正行為を防止することが可能になる。
【００６２】
また、羽根部１４に応力を加えた場合でも駆動装置１７に荷重がかからないので、安定した開閉駆動を行うことができる。
【００６３】
さらに、プランジャ１７ａによるリンク部材２３の直進運動をロッド２４による羽根部１４の開閉運動に変換しているので、プランジャ１７ａの出没動作を本体部に対して奥行き方向に設定しなくてもよくなることから、大入賞口装置１１が遊技盤の裏面側に突出してそこに配置される機構の設置スペースを狭めることがない。
【００６４】
そして、リンク部材２３を略Ｌ字状に形成することにより、さらに省スペース化を実現することができる。
【００６５】
さて、大入賞口の底面を構成する振り分け部材１８は、取付基板１２の内面に形成された軸孔（図示せず）と前部筐体１５に形成された軸孔（図示せず）に支持されて揺動可能に設けられている。また、振り分け部材１８は、２つの入賞球排出口２０ａ、２０ｂの間に位置しており、羽根部１４により開放された大入賞口１３に入賞した遊技球を受け、センサＳ１あるいはセンサＳ２が配置された何れかの入賞球排出口２０ａ、２０ｂに遊技球を振り分けるものである。
【００６６】
また、伝達リンク２２は、傾動手段１９を構成するプランジャ１９ａのフランジ１９ａ−１に差し込まれてソレノイド１９ｂにより上下方向に移動可能に設けられており、さらに係合ピン２２ａが前述した振り分け部材１８に遊びを持って差し込まれている。これにより、伝達リンク２２は、プランジャ１９ａにより上下方向に移動されることにより、振り分け部材１８を一方の入賞球排出口２０ａ側および他方の入賞球排出口２０ｂ側に傾動させる。
【００６７】
振り分けに際しては、いずれかの入賞球排出口（たとえば入賞球排出口２０ａ）を継続入賞口に設定し、他方の入賞球排出口（たとえば入賞球排出口２０ｂ）を一般入賞口とし、振り分け部材１８を一般入賞口側に傾けておく。
【００６８】
大入賞口開放の信号が入力されると、前述のようにして羽根部１４が前方に倒れて大入賞口１３が開放されるとともにソレノイド１９ｂが励磁されて振り分け部材１８が継続入賞口側に傾動される。これにより、当初に入賞した遊技球は振り分け部材１８により継続入賞口に案内される。継続入賞口である入賞球排出口２０ａに対応して配置されたセンサＳ１が遊技球を検知すると、ソレノイド１９ｂの励磁が解除され、振り分け部材１８は元に戻り一般入賞口である入賞球排出口２０ｂ側に傾き、ここに遊技球を案内する。そして、一定時間あるいは一定の数の遊技球の入賞が終了すると大入賞口１３を閉じる。この一連の動作を所定回繰り返すと大開放は終了する。
【産業上の利用可能性】
【００６９】
以上の説明においては、本発明を遊技機の一つであるパチンコ遊技機に適用した場合が説明されているが、本発明はパチンコ遊技機に限定されるものではなく、可変入賞装置を有する様々な遊技機に適用することが可能である。
【図面の簡単な説明】
【００７０】
【図１】本発明の一実施の形態であるパチンコ遊技機を示す斜視図である。
【図２】図１のパチンコ遊技機に取り付けられた可変入賞装置である始動入賞装置を示す斜視図である。
【図３】図２の分解斜視図である。
【図４】図２の始動入賞装置を前面板、台座および第１のホルダを除去して示す分解斜視図である。
【図５】図２の始動入賞装置を前面板および台座を除去して示す正面図である。
【図６】図５の始動入賞装置から羽根部を除去して示す正面図である。
【図７】羽根部が閉じた状態における羽根部の開閉規制機構を示す正面図である。
【図８】図７を平面から見た場合の要部を示す概略図である。
【図９】羽根部が開いた状態における羽根部の開閉規制機構を示す正面図である。
【図１０】図９を平面から見た場合の要部を示す概略図である。
【図１１】羽根部に応力を加えた場合における羽根部の開閉規制機構を平面から見た場合の要部を示す概略図である。
【図１２】図１のパチンコ遊技機に取り付けられた可変入賞装置である大入賞口装置を示す斜視図である。
【図１３】図１２の分解斜視図である。
【図１４】図１２の大入賞口装置を取付基板を除去して示す正面図である。
【図１５】大入賞口装置を構成する駆動装置とリンク部材とを示す斜視図である。
【図１６】羽根部が閉じている状態における羽根部の開閉規制機構を示す図である。
【図１７】図１６の側面図である。
【図１８】羽根部が開いている状態における羽根部の開閉規制機構を示す図である。
【図１９】図１８の側面図である。
【図２０】羽根部に応力を加えた場合における羽根部の開閉規制機構を示す図である。
【符号の説明】
【００７１】
１  パチンコ遊技機
２  遊技盤
２ａ  遊技盤ベース
２ｂ  遊技部材
３  遊技機本体
３ａ  本体枠
３ｂ  ベース枠
４  ガラス扉
５  皿ユニット
５ａ  上皿
５ｂ  下皿
６  レール
７  ハンドル
８ａ，８ｂ  スピーカ
１０  シャッタレバー
１１  大入賞口装置（可変入賞装置）
１２  取付基板
１２ａ  軸受け
１３  大入賞口（入賞口）
１４  羽根部
１４ａ  前面板
１４ｂ  側壁
１４ｃ  回動軸
１４ｄ  伝達突起
１５  前部筐体
１５ａ  ピン
１６  後部筐体
１６ａ、１６ｂ  ブラケット部
１７  駆動装置
１７ａ  プランジャ
１７ａ−１  フランジ
１７ｂ  ソレノイド
１８  振り分け部材
１９  傾動手段
１９ａ  プランジャ
１９ａ−１  フランジ
１９ｂ  ソレノイド
２０、２０ａ、２０ｂ  入賞球排出口
２１ａ、２１ｂ  センサ取付部
２２  伝達リンク
２２ａ  係合ピン
２３  リンク部材
２３ａ  溝
２３ｂ  係合ピン
２４  ロッド
２４ａ  長孔
２５  規制部
３１  始動入賞装置（可変入賞装置）
３２  台座
３２ａ  ゲート
３２ｂ  始動口（入賞口）
３２ｃ  円弧状孔
３３  羽根部
３３ａ  右傾動羽根
３３ａ−１  伝達ピン
３３ｂ  左傾動羽根
３３ｂ−１  伝達ピン
３４  前面板
３４ａ  ガイド部
３５  第１のホルダ
３５ｂ  切り欠き
３６  駆動装置
３６ａ  プランジャ
３６ａ−１  フランジ
３６ｂ  ソレノイド
３７  第２のホルダ
３８  リンク部材
３８ａ  第１の嵌合孔
３８ｂ  第２の嵌合孔
３８ｃ  溝
３９ａ  第１のロッド
３９ａ−１  第１の嵌合突起
３９ａ−２  第１のアーム部
３９ｂ  第２のロッド
３９ｂ−１  第２の嵌合突起
３９ｂ−２  第２のアーム部
４０  規制部
Ｓ、Ｓ１、Ｓ２  センサ
【図１】
2005323757.tif 000003
【図２】
2005323757.tif 000004
【図３】
2005323757.tif 000005
【図４】
2005323757.tif 000006
【図５】
2005323757.tif 000007
【図６】
2005323757.tif 000008
【図７】
2005323757.tif 000009
【図８】
2005323757.tif 000010
【図９】
2005323757.tif 000011
【図１０】
2005323757.tif 000012
【図１１】
2005323757.tif 000013
【図１２】
2005323757.tif 000014
【図１３】
2005323757.tif 000015
【図１４】
2005323757.tif 000016
【図１５】
2005323757.tif 000017
【図１６】
2005323757.tif 000018
【図１７】
2005323757.tif 000019
【図１８】
2005323757.tif 000020
【図１９】
2005323757.tif 000021
【図２０】
2005323757.tif 000022